(57)【要約】      （修正有）【課題】施肥装置のブロアモータの破損軽減を可能とする作業車両を提供する。【解決手段】作業車両は、外気を吸引してエアチャンバ１４に送風するブロア１３を備え、複数の肥料繰出部に給気して圃場に肥料を送出する施肥装置を搭載して圃場走行可能に構成され、ブロア１３は、吸気口１３ｂをファンケース１３ａの下部に、かつ、駆動モータ１３ｄをファンケース１３ａの上部に構成したことにより、駆動モータへの雨水等の侵入抑制を図る。【選択図】図３
2017175938.tif 000002
【特許請求の範囲】
【請求項１】
送風ファン(１３ｅ)を駆動モータ(１３ｄ)によって回転し、ファンケース(１３ａ)の吸気口(１３ｂ)から取込んだ外気を送風口(１３ｃ)からエアチャンバ(１４)に送風するブロア(１３)を備え、複数の肥料繰出部(１５)に給気してそれぞれの施肥ホース(１６)から肥料を送出する施肥装置(Ｄ)を搭載した圃場走行可能な作業車両において、
前記吸気口(１３ｂ)を前記ファンケース(１３ａ)の下部に、かつ、前記駆動モータ(１３ｄ)を前記ファンケース(１３ａ)の上部に構成したことを特徴とする作業車両。
【請求項２】
前記ブロア(１３)は、前記ファンケース(１３ａ)の外周部に前記送風口(１３ｃ)を配置し、この送風口(１３ｃ)の側を高くして前記ファンケース(１３ａ)を傾斜姿勢で配置するとともに、前記ファンケース(１３ａ)の低い側に水抜孔(１３ｆ)を備えたことを特徴とする請求項１に記載の作業車両。
【請求項３】
機体側縁部に乗降用のサイドステップ(３５)を設け、このサイドステップ(３５)と近接して前記肥料繰出部(１５)を配置し、前記送風口(１３ｃ)が機体内側で前記サイドステップ(３５)より高い位置に前記ブロア(１３)を配置したことを特徴とする請求項１または２に記載の作業車両。
【請求項４】
前記肥料繰出部(１５)の上部に上部拡径状のホッパ(１９)を設け、このホッパ(１９)の基部に近接して前記ブロア(１３)を配置したことを特徴とする請求項１から３のいずれかに記載の作業車両。
【請求項５】
機体の前後方向に延びる複数のサイドステップステー(１５ｆ…)を並列に設けて前記肥料繰出部(１５)を支持し、この肥料繰出部(１５)の直下に繰出量調節機構(１２ａ)および調節ハンドル(１２ｂ)を設けて調節操作可能に構成するとともに、前記調節ハンドル(１２ｂ)を前記繰出量調節機構(１２ａ)の前側で前記サイドステップステー(１５ｆ…)の間に配置したことを特徴とする請求項１から４のいずれかに記載の作業車両。
【請求項６】
前記肥料繰出部(１５)の機体内側に前記エアチャンバ(１４)を配置し、同側の作業位置にフロアステップ(３)を設け、前記エアチャンバ(１４)の下方で前記フロアステップ(３)の側端部に、前記繰出量調節機構(１２ａ)の繰出量を表示する繰出量目盛(１２ｃ)を設けたことを特徴とする請求項５に記載の作業車両。
【請求項７】
前記肥料繰出部(１５)を機体の両側縁部にそれぞれ配置して前記施肥装置(Ｄ)を構成し、前記両肥料繰出部(１５)の間に両者を連動動作させる伝動シャフト(２１)を設け、この伝動シャフト(２１)の両側端部と中間部をそれぞれ軸支する複数の軸支部材(２２)を設け、これら軸支部材(２２)を支持する両側端部の取付プレート(４ａ，４ａ)と中間部の取付プレート(４ｂ)を機体フレームの後端部に設けるとともに、前記中間部の取付プレート(４ｂ)に取付位置調節用の調節代を設けたことを特徴とする請求項１から６のいずれかに記載の作業車両。
【請求項８】
前記中間部の取付プレート(４ｂ)には、前記軸支部材(２２)に備えた軸受(２２ａ)を収容する切欠(４ｃ)を大径に広げて前記調節代を形成したことを特徴とする請求項７に記載の作業車両。
【発明の詳細な説明】
【技術分野】
【０００１】
本発明は、施肥装置を搭載して圃場を施肥走行する作業車両に関する。
【背景技術】
【０００２】
特許文献１に記載のように、圃場に苗を植付け等の作業を行う際に用いる苗移植機等の作業車両には、圃場に肥料を供給する施肥装置を備えているものがある。この作業車両は、施肥装置を走行車体の左右に設けることによって作業スペースが確保され、作業効率を向上させることができる。
【先行技術文献】
【特許文献】
【０００３】
【特許文献１】特開２０１５−１６３０５７号公報
【発明の概要】
【発明が解決しようとする課題】
【０００４】
しかしながら、上記施肥装置は、肥料を散布する送風ファンの配置を考慮されていない。
このため、運転者が搭乗する側方から乗降しにくいことがあった。
また、送風ファンを低い位置に設けており、雨水及び圃場の泥等による駆動モータ破損を考慮されていない。
【０００５】
本発明の目的は、施肥装置を走行車体の左右に設けた作業車両において、送風ファンが作業者の乗降および作業の妨げにならない構成で、かつ、駆動モータの破損軽減を可能とする作業車両を提供することにある。
【課題を解決するための手段】
【０００６】
請求項１に係る発明は、送風ファン(１３ｅ)を駆動モータ(１３ｄ)によって回転し、ファンケース(１３ａ)の吸気口(１３ｂ)から取込んだ外気を送風口(１３ｃ)からエアチャンバ(１４)に送風するブロア(１３)を備え、複数の肥料繰出部(１５)に給気してそれぞれの施肥ホース(１６)から肥料を送出する施肥装置(Ｄ)を搭載した圃場走行可能な作業車両において、前記吸気口(１３ｂ)を前記ファンケース(１３ａ)の下部に、かつ、前記駆動モータ(１３ｄ)を前記ファンケース(１３ａ)の上部に構成したことを特徴とする。
【０００７】
請求項２に係る発明は、請求項１に係る発明において、前記ブロア(１３)は、前記ファンケース(１３ａ)の外周部に前記送風口(１３ｃ)を配置し、この送風口(１３ｃ)の側を高くして前記ファンケース(１３ａ)を傾斜姿勢で配置するとともに、前記ファンケース(１３ａ)の低い側に水抜孔(１３ｆ)を備えたことを特徴とする。
【０００８】
請求項３に係る発明は、請求項１または２に係る発明において、機体側縁部に乗降用のサイドステップ(３５)を設け、このサイドステップ(３５)と近接して前記肥料繰出部(１５)を配置し、前記送風口(１３ｃ)が機体内側で前記サイドステップ(３５)より高い位置に前記ブロア(１３)を配置したことを特徴とする。
【０００９】
請求項４に係る発明は、請求項１から３のいずれかに係る発明において、前記肥料繰出部(１５)の上部に上部拡径状のホッパ(１９)を設け、このホッパ(１９)の基部に近接して前記ブロア(１３)を配置したことを特徴とする。
【００１０】
請求項５に係る発明は、請求項１から４のいずれかに係る発明において、機体の前後方向に延びる複数のサイドステップステー(１５ｆ…)を並列に設けて前記肥料繰出部(１５)を支持し、この肥料繰出部(１５)の直下に繰出量調節機構(１２ａ)および調節ハンドル(１２ｂ)を設けて調節操作可能に構成するとともに、前記調節ハンドル(１２ｂ)を前記繰出量調節機構(１２ａ)の前側で前記サイドステップステー(１５ｆ…)の間に配置したことを特徴とする。
【００１１】
請求項６に係る発明は、請求項５に係る発明において、前記肥料繰出部(１５)の機体内側に前記エアチャンバ(１４)を配置し、同側の作業位置にフロアステップ(３)を設け、前記エアチャンバ(１４)の下方で前記フロアステップ(３)の側端部に、前記繰出量調節機構(１２ａ)の繰出量を表示する繰出量目盛(１２ｃ)を設けたことを特徴とする。
【００１２】
請求項７に係る発明は、請求項１から６のいずれかに係る発明において、前記肥料繰出部(１５)を機体の両側縁部にそれぞれ配置して前記施肥装置(Ｄ)を構成し、前記両肥料繰出部(１５)の間に両者を連動動作させる伝動シャフト(２１)を設け、この伝動シャフト(２１)の両側端部と中間部をそれぞれ軸支する複数の軸支部材(２２)を設け、これら軸支部材(２２)を支持する両側端部の取付プレート(４ａ，４ａ)と中間部の取付プレート(４ｂ)を機体フレームの後端部に設けるとともに、前記中間部の取付プレート(４ｂ)に取付位置調節用の調節代を設けたことを特徴とする。
【００１３】
請求項８に係る発明は、請求項７に係る発明において、前記中間部の取付プレート(４ｂ)には、前記軸支部材(２２)に備えた軸受(２２ａ)を収容する切欠(４ｃ)を大径に広げて前記調節代を形成したことを特徴とする。
【発明の効果】
【００１４】
請求項１に係る発明により、ブロア(１３)は、ファンケース(１３ａ)下部の吸気口(１３ｂ)から吸気して肥料繰出部(１５)に給気することから、圃場作業において、雨水やごみ等が下方から吸気口(１３ｂ)に取込まれても、ファンケース(１３ａ)の上部に配置した駆動モータ(１３ｄ)への侵入が抑えられるので、サビ等による破損を抑えて耐久性を確保することができる。
【００１５】
請求項２に係る発明により、請求項１に係る発明の効果に加え、傾斜配置のファンケース(１３ａ)の傾斜上側に送風口(１３ｃ)が位置することにより、施肥作業時にブロア内部に入ってしまった水やごみ等がファンケース(１３ａ)内で落下するので、繰出された肥料の詰まり等による施肥不良を防ぐことができ、また、ファンケース(１３ａ)内を落下した水は、最下位部の水抜孔(１３ｆ)から自重で排出される。
【００１６】
請求項３に係る発明により、請求項１または２に係る発明の効果に加え、ブロア(１３)の送風口(１３ｃ)が機体内側寄りで且つ乗降用のサイドステップ(３５)より上方に位置することから、走行車体が跳ね上げる水や泥が入り込みにくくなり、詰まりがいっそう防止できるとともに、機体外側方へのブロアの突出量を少なくすることができ、ブロアが障害物に接触して破損することが防止される。
【００１７】
請求項４に係る発明により、請求項１から３のいずれかに係る発明の効果に加え、上部拡径状のホッパ(１９)の下の空間にブロア(１３)が収容されて肥料繰出部(１５)の周りにスペースを確保することができる。
【００１８】
請求項５に係る発明により、請求項１から４のいずれかに係る発明の効果に加え、肥料繰出部(１５)の下方で、繰出量調節機構(１２ａ)の前側に調節ハンドル(１２ｂ)を設けることで、肥料繰出部(１５)の近傍で容易に調節操作ができる。また、サイドステップステー(１５ｆ…)の間に調節ハンドルを配置することで、作業者の足等には当たらないため、破損防止及び作業の妨げにならない。
【００１９】
請求項６に係る発明により、請求項５に係る発明の効果に加え、繰出量目盛(１２ｃ)をエアチャンバ(１４)の下方でフロアステップ(３)の側端部に配置することで、作業者がフロアステップ(３)側から繰出量目盛(１２ｃ)を容易に視認することができるとともに、作業の妨げにならず、泥等の付着を軽減できる。
【００２０】
請求項７に係る発明により、請求項１から６のいずれかに係る発明の効果に加え、機体の両側縁部の肥料繰出部(１５)の間に伝動シャフト(２１)を組付けする際に、中間部の取付プレート(４ｂ)に設けた調節代の範囲で軸支部材(２２)の取付位置を調節できるので、機体の個体差による伝動シャフト(２１)の組み付け性が向上し、作業が容易に行えるとともに、伝動シャフト(２１)及び軸支部材(２２)の負荷を軽減して両肥料繰出部(１５)を駆動することができるため、耐久性が向上し破損を防止することができる。
【００２１】
請求項８に係る発明により、請求項７に係る発明の効果に加え、伝動シャフト(２１)の中間部の軸支部材(２２)は、軸支部材(２２)の軸受(２２ａ)を収容する切欠(４ｃ)を大径に広げた簡易な構成の取付プレート(４ｂ)により、その調節代の範囲で取付け位置を調節することができる。
【図面の簡単な説明】
【００２２】
【図１】乗用田植機の側面図
【図２】施肥装置の要部平面図
【図３】ブロア単体図付帯によるブロア周りの拡大背面図
【図４】肥料繰出部周りの側面図
【図５】繰出量調節部周りの平面図
【図６】繰出量調節部周りの側面図
【図７】図６のＡ―Ａ線断面図
【図８】伝動部の平面図
【図９】軸支部材の拡大側面図（ａ）と拡大背面図（ｂ）
【図１０】取付プレートの要部側面図
【図１１】油圧機器系統図（１）
【図１２】油圧機器系統図（２）
【発明を実施するための形態】
【００２３】
上記技術思想に基づいて具体的に構成した発明の実施形態について、以下に図面に沿って詳細に説明する。なお、説明においては、機体の前進方向Ｆを基準に、前後、左右という。
【００２４】
作業車両である乗用田植機Ｐは、その側面図を図１に示すように、前輪５，５と後輪１０，１０によって圃場走行可能に支持した機体に操縦部２と機体後部の植付作業部６０を備えるとともに、この植付作業部６０への苗補給等の作業スペースを確保するべく、機体の両側縁部に分けて複数の肥料繰出部１５…を並べて複数条を連動して施肥可能な施肥装置Ｄを構成する。
【００２５】
施肥装置Ｄは、その要部平面図を図２に示すように、片側（図例は左側）の肥料繰出部１５…にブロア１３を配置し、左右に連通するエアチャンバ１４から各肥料繰出部１５に給気し、それぞれの施肥ホース１６…を介して植付条毎に施肥可能に構成する。また、各肥料繰出部１５の上に肥料を収容する上部拡径状のホッパ１９を一体に設ける。
【００２６】
（ブロア構成）
ブロア１３は、縦軸構成のターボファン等の送風ファン１３ｅを左右の一方（図例は左側部）の肥料繰出部１５…の前端部に配置する。詳細には、ブロア周りの拡大背面図（ブロア単体図付帯）を図３に示すように、送風ファン１３ｅのファンケース１３ａの下部に吸気口１３ｂを形成し、送風ファン１３ｅの駆動モータ１３ｄをファンケース１３ａの上部に設け、送風口１３ｃを肥料繰出部１５の内側配置のエアチャンバ１４と連通してブロア１３を縦軸に構成する。
【００２７】
上記構成のブロア１３は、駆動モータ１３ｄと吸気口１３ｂとをファンケース１３ａの上下に分けて配置した縦軸構成とすることにより、ファンケース１３ａ下部の吸気口１３ｂから吸気して各肥料繰出部１５に送風することから、圃場作業において、雨水やごみ等が下方から吸気口１３ｂに取り込まれても、ファンケース１３ａの上部に配置した駆動モータ１３ｄへの侵入が抑えられるので、サビ等による破損を抑えて耐久性を確保することができる。
【００２８】
また、ファンケース１３ａについて、送風口１３ｃの側を高くしてブロア１３を直立姿勢から僅かに傾斜するとともに、ファンケース１３ａの低い側に水抜孔１３ｆを形成することにより、施肥作業時にブロア内部に入ってしまった水やごみ等がファンケース１３ａ内を落下排出されるので、肥料繰出部１５から送出される肥料の詰まり等による施肥不良を防ぐことができる。
【００２９】
機体側縁部には、乗降用の左右のサイドステップ３５，３５を設け、このサイドステップ３５，３５と近接して肥料繰出部１５…を配置し、その機体内側でサイドステップ３５より高い位置に配置したエアチャンバ１４にブロア１３の送風口１３ｃを連通するべくブロア１３を配置することにより、走行車体が跳ね上げる水や泥の吸込みを抑えることができるので、肥料の詰まりを防止できる上に、機体外側方へのブロアの突出量を少なくすることができ、ブロア１３が地上側等の障害物に接触して破損することが防止される。
【００３０】
また、肥料繰出部周りの側面図を図４に示すように、肥料繰出部１５…に上部拡径状のホッパ１９を設け、片側のホッパ１９の基部に近接してブロア１３を配置することにより、ホッパ１９の容量を確保しつつ、ホッパ１９の下の空間にブロア１３が収容されて肥料繰出部１５…の周りにスペースを確保することができる。
【００３１】
（繰出量調節部）
次に、繰出量調節部周りの平面図を図５に、側面図を図６に示すように、機体の前後方向に延びるサイドステップステー１５ｆ…を並列に設けて肥料繰出部１５…を支持した上で、ブロア１３と反対側の肥料繰出部１５…の直下に繰出量調節機構１２ａおよびその調節ハンドル１２ｂを配置して繰出量調節部１２を構成する。調節ハンドル１２ｂは、繰出量調節機構１２ａの前側でサイドステップステー１５ｆ…の間に配置する。
【００３２】
上記構成の繰出量調節部１２は、肥料繰出部１５…の下方で、繰出量調節機構１２ａの前側に調節ハンドル１２ｂを設けることで、肥料繰出部１５…の近傍で容易に操作ができる。また、サイドステップステー１５ｆ…の間に調整ハンドル１２ｂを配置することで、作業者の足等には当たらないため、破損防止及び作業の妨げにならない。
【００３３】
また、肥料繰出部１５…の機体内側にエアチャンバ１４を配置し、このエアチャンバ１４の下方でフロアステップ３の側端位置に、繰出量調節機構１２ａの繰出量を表示する繰出量目盛１２ｃを設けることにより、図６のＡ―Ａ線の断面図を図７に示すように、作業者が繰出量目盛１２ｃを容易に視認することができるとともに、作業の妨げにならず、泥等の付着を軽減できる。
【００３４】
（左右伝動部）
左右の肥料繰出部１５…の伝動部は、図８の平面図および前掲の図６に示すように、両者間を連動動作させる伝動シャフト２１によって連結し、この伝動シャフト２１を軸支する複数の軸支部材２２…を設け、これら軸支部材２２…を機体フレーム４の後端部に設けた左右の側端位置の取付プレート４ａ，４ａと中間位置の取付プレート４ｂ，４ｂに取付ける。
【００３５】
軸支部材２２は、その拡大側面図（ａ）と拡大背面図（ｂ）を図９に示すように、伝動シャフト２１を軸支する樹脂ブッシュ等による軸受２２ａに長穴２２ｃ，２２ｃ付きの取付部２２ｂを備えてボルト締結可能に構成する。
【００３６】
取付プレート４ａ，４ｂは、要部側面図を図１０に示すように、軸支部材２２の取付孔４ｄ，４ｄと軸支部材２２の軸受２２ａを収容する切欠４ｃを形成し、それぞれの切欠４ｃの内径φＡは、両側端部の取付プレート４ａ，４ａについて軸受２２ａと同径に、中間部の取付プレート４ｂについて軸受２２ａより大径に広げて固定位置調節用の調節代を形成する。
【００３７】
機体の両側部の肥料繰出部１５の間に伝動シャフト２１を組付けする際は、中間部の取付プレート４ｂに設けた調節代の範囲で軸支部材２２の取付位置を調節できるので、機体の個体差によるシャフトの組み付け性が向上し、作業が容易に行えるとともに、伝動シャフト２１及び軸支部材２２の負荷を軽減して両肥料繰出部１５を駆動することができるため、耐久性が向上し破損を防止することができる。
【００３８】
このように、中間部の軸支部材２２は、切欠４ｃを広げた簡易な構成の取付プレート４ｂによって調節代を設けることができるとともに、長穴２２ｃ，２２ｃの範囲で軸支部材２２の上下移動を可能にピン止め支持とすることにより、伝動シャフト２１の駆動時の負荷の解消が可能となる。
【００３９】
（施肥量制御）
次に、施肥量の調節制御について説明する。
走行車輪の回転数を検知する回転センサ、走行位置を検知するＧＰＳを設け、圃場条件の違いにより、走行時のスリップ率が基準以下の場合に肥料の散布量を減らし、基準以上の場合に散布量を増やすことにより、走行車輪の回転と対応して作動する施肥装置について、走行車輪の空転に伴う過剰施肥を抑え、また、圃場条件の違いにより、直進性が良い場合や空転が少ない場合に、施肥量を増加することにより、所要の施肥量を確保することができる。
【００４０】
また、走行車体のＧＰＳにより、隣接条と走行車体が一定以上離れると肥料の散布を増やし、また、タブレット端末を備えて、天気予報により雨量が多い場合は、施肥量を増加することにより、隣接条から離れた場合の施肥隙間を補い、また、雨による流失分を補うことができる。
【００４１】
また、深度センサによって、深さのばらつき、すなわち、圃場の凹凸、が基準以上の場合に施肥量を増やし、弾性支持サスペンションに設けたストロークセンサによってストロークが基準以上の場合に施肥量を増加することにより、圃場面の凹凸に伴う水の停滞で低下する肥料効果を補って育成の安定化を図ることができる。
【００４２】
（油圧故障診断）
次に、油圧機器の故障診断について説明する。
油圧機器系統図（１）および油圧機器系統図（２）を順に、図１１、図１２に示すように、無段変速動力伝達用のＨＳＴ装置３１と、ステアリング制御用のトルクジェネレータ３２と、これら油圧機器に作動油を供給するギアポンプ３３について、これら機器のそれぞれの吸込ポートと吐出ポートに油温センサ３１ａ、３１ｂ、３２ａ、３２ｂ、３３ａを設ける（トルクジェネレータ３２の吸込ポートの油温センサ３２ａはギアポンプ３３の吐出ポートの油温センサを兼ねる）。
【００４３】
上記油温センサによってポート間の温度差をそれぞれ算出し、温度差が規定値以上の場合に、音・ランプ等によってオペレータに異常を知らせることにより、故障原因の早期発見、故障箇所の判断によって故障の連鎖拡大の防止が可能となる。
【００４４】
（技術的意義）
上記構成の作業車両の技術的意義についてまとめると、次のとおりである。
送風ファン１３ｅを駆動モータ１３ｄによって回転し、ファンケース１３ａの吸気口１３ｂから取込んだ外気を送風口１３ｃからエアチャンバ１４に送風するブロア１３を備え、複数の肥料繰出部１５に給気してそれぞれの施肥ホース１６から肥料を送出する施肥装置Ｄを搭載した圃場走行可能な作業車両において、吸気口１３ｂをファンケース１３ａの下部に、かつ、駆動モータ１３ｄをファンケース１３ａの上部に構成することにより、ブロア１３は、ファンケース１３ａ下部の吸気口１３ｂから吸気して肥料繰出部１５に給気することから、圃場作業において、雨水やごみ等が下方から吸気口１３ｂに取込まれても、ファンケース１３ａの上部に配置した駆動モータ１３ｄへの侵入が抑えられるので、サビ等による破損を抑えて耐久性を確保することができる。
【００４５】
また、ブロア１３は、ファンケース１３ａの外周部に送風口１３ｃを配置し、この送風口１３ｃの側を高くしてファンケース１３ａを傾斜姿勢で配置するとともに、ファンケース１３ａの低い側に水抜孔１３ｆを備えることにより、傾斜配置のファンケース１３ａの傾斜上側に送風口１３ｃが位置することから、施肥作業時にブロア内部に入ってしまった水やごみ等がファンケース１３ａ内で落下するので、繰出された肥料の詰まり等による施肥不良を防ぐことができ、また、ファンケース１３ａ内を落下した水は、最下位部の水抜孔１３ｆから自重で排出される。
【００４６】
また、機体側縁部に乗降用のサイドステップ３５を設け、このサイドステップ３５と近接して肥料繰出部１５を配置し、送風口１３ｃが機体内側でサイドステップ３５より高い位置にブロア１３を配置したことにより、ブロア１３の送風口１３ｃが機体内側寄りで且つ乗降用のサイドステップ３５より上方に位置することから、走行車体が跳ね上げる水や泥が入り込みにくくなり、詰まりがいっそう防止できるとともに、機体外側方へのブロアの突出量を少なくすることができ、ブロアが障害物に接触して破損することが防止される。
【００４７】
また、肥料繰出部１５の上部に上部拡径状のホッパ１９を設け、このホッパ１９の基部に近接してブロア１３を配置したことにより、上部拡径状のホッパ１９の下の空間にブロア１３が収容されて肥料繰出部１５の周りにスペースを確保することができる。
【００４８】
また、機体の前後方向に延びる複数のサイドステップステー１５ｆ…を並列に設けて肥料繰出部１５を支持し、この肥料繰出部１５の直下に繰出量調節機構１２ａおよび調節ハンドル１２ｂを設けて調節操作可能に構成するとともに、調節ハンドル１２ｂを繰出量調節機構１２ａの前側でサイドステップステー１５ｆ…の間に配置したことにより、調節ハンドル１２ｂが肥料繰出部１５の下方で、繰出量調節機構１２ａの前側に位置するので、肥料繰出部１５の近傍で容易に調節操作ができ、さらに、サイドステップステー１５ｆ…の間に調節ハンドルを配置することで、作業者の足等には当たらないため、破損防止及び作業の妨げにならない。
【００４９】
また、肥料繰出部１５の機体内側にエアチャンバ１４を配置し、同側の作業位置にフロアステップ３を設け、エアチャンバ１４の下方でフロアステップ３の側端部に、繰出量調節機構１２ａの繰出量を表示する繰出量目盛１２ｃを設けることにより、エアチャンバ１４の下方でフロアステップ３の側端部に配置した繰出量目盛１２ｃを作業者がフロアステップ３側から容易に視認することができるとともに、作業の妨げにならず、泥等の付着を軽減できる。
【００５０】
また、肥料繰出部１５を機体の両側縁部にそれぞれ配置して施肥装置Ｄを構成し、両肥料繰出部１５の間に両者を連動動作させる伝動シャフト２１を設け、この伝動シャフト２１の両側端部と中間部をそれぞれ軸支する複数の軸支部材２２を設け、これら軸支部材２２を支持する両側端部の取付プレート４ａ，４ａと中間部の取付プレート４ｂを機体フレームの後端部に設けるとともに、中間部の取付プレート４ｂに取付位置調節用の調節代を設けたことにより、機体の両側縁部の肥料繰出部１５の間に伝動シャフト２１を組付けする際に、中間部の取付プレート４ｂに設けた調節代の範囲で軸支部材２２の取付位置を調節できるので、機体の個体差による伝動シャフト２１の組み付け性が向上し、作業が容易に行えるとともに、伝動シャフト２１及び軸支部材２２の負荷を軽減して両肥料繰出部１５を駆動することができるため、耐久性が向上し破損を防止することができる。
【００５１】
また、中間部の取付プレート４ｂには、軸支部材２２に備えた軸受２２ａを収容する切欠４ｃを大径に広げて調節代を形成したことにより、伝動シャフト２１の中間部の軸支部材２２は、軸支部材２２の軸受２２ａを収容する切欠４ｃを大径に広げた簡易な構成の取付プレート４ｂにより、その調節代の範囲で取付け位置を調節することができる。
【符号の説明】
【００５２】
３      フロアステップ
４ａ    取付プレート
４ｂ    取付プレート
４ｃ    切欠
１２ａ  繰出量調節機構
１２ｂ  調節ハンドル
１２ｃ  繰出量目盛
１３    ブロア
１３ａ  ファンケース
１３ｂ  吸気口
１３ｃ  送風口
１３ｄ  駆動モータ
１３ｅ  送風ファン
１３ｆ  水抜孔
１４    エアチャンバ
１５    肥料繰出部
１５ｆ  サイドステップステー
１６    施肥ホース
１９    ホッパ
２１    伝動シャフト
２２    軸支部材
２２ａ  軸受
３５    サイドステップ
Ｄ      施肥装置
Ｐ      乗用田植機（作業車両）
【図１】
2017175938.tif 000003
【図２】
2017175938.tif 000004
【図３】
2017175938.tif 000005
【図４】
2017175938.tif 000006
【図５】
2017175938.tif 000007
【図６】
2017175938.tif 000008
【図７】
2017175938.tif 000009
【図８】
2017175938.tif 000010
【図９】
2017175938.tif 000011
【図１０】
2017175938.tif 000012
【図１１】
2017175938.tif 000013
【図１２】
2017175938.tif 000014